(57)【要約】    【課題】  外部から電源を供給する形態でも従来のように別個に受電部やカバー等を設けることが不要とし、小型化などを可能とした電子機器を提供する。    【解決手段】  電子機器は、第１カバー１、第２カバー２、第２カバーレバー３、ヒンジ板４、ヒンジ固定板５からなるカバーユニットと、バッテリ収納部９を備える。第１カバー１は、バッテリ収納部９の上面側開口部に対してスライド及び回動可能に配設され、電源ケーブル３０が接続可能で且つバッテリ収納部９に連通する開口部１ａを有する。第２カバー２は、第１カバー１の上面部に配設され、第１カバー１の面内でスライド可能に構成される。第２カバー２は、スライドに伴い第１カバー１の開口部１ａを閉塞状態或いは開放状態とする。第２カバーレバー３は、外部からの操作に応じて第２カバー２をスライドさせる。【選択図】      図１
2007066196.tif 000002
【特許請求の範囲】
【請求項１】
開閉口を有する収納部を筐体内部に備える電子機器であって、
前記収納部の前記開閉口に対して開閉可能に配設され、前記収納部に連通する開口部を有する第１の蓋部材と、
前記第１の蓋部材に配設され、前記第１の蓋部材の面内で移動可能に構成された第２の蓋部材とを備え、
前記第１の蓋部材の前記開口部は、外部から前記電子機器に電源を供給するための電源供給部材が接続可能に構成され、
前記第２の蓋部材は、前記移動に伴い前記第１の蓋部材の前記開口部を閉塞状態或いは開放状態とすることを特徴とする電子機器。
【請求項２】
前記第１の蓋部材及び前記第２の蓋部材に係合され、前記第１の蓋部材の前記開口部を閉塞状態或いは開放状態とするように、外部操作に応じて前記第２の蓋部材を移動させる操作部材を備えることを特徴とする請求項１記載の電子機器。
【請求項３】
前記第１の蓋部材を前記第２の蓋部材と共に前記収納部の前記開口部に対して回動可能とする回動部材を備えることを特徴とする請求項１記載の電子機器。
【請求項４】
前記回動部材は、前記収納部に連通すると共に前記第１の蓋部材の前記開口部よりも大きい形状の開口部を備えることを特徴とする請求項３記載の電子機器。
【請求項５】
前記回動部材に配設され前記第１の蓋部材の開閉時にクリック感触を付与する弾性係合部と、前記第２の蓋部材に配設され前記第２の蓋部材の移動時にクリック感触を付与する弾性係合部とのうち少なくとも何れか一方を備えることを特徴とする請求項１、３、４の何れかに記載の電子機器。
【請求項６】
前記回動部材は、前記第１の蓋部材に締結される第１の回動部材と、前記収納部の前記開口部に対し軸を介して回動可能に装着されると共に前記第１の蓋部材と第１の回動部材との間に挟持される第２の回動部材とから構成されることを特徴とする請求項３又は４記載の電子機器。
【請求項７】
前記第２の蓋部材の移動形態は、スライドにより前記第１の蓋部材の前記開口部を閉塞状態或いは開放状態とする移動形態、回転により前記第１の蓋部材の前記開口部を閉塞状態或いは開放状態とする移動形態を含む群から選択されることを特徴とする請求項１記載の電子機器。
【請求項８】
前記操作部材と、前記収納部に収納される収納物とは、前記収納部を前記第１の蓋部材及び前記第２の蓋部材により閉じた状態で前記操作部材と前記収納部内の前記収納物とを係合する係合部をそれぞれ備えることを特徴とする請求項１又は２記載の電子機器。
【請求項９】
前記収納物は、バッテリパック、外部電源中継部材、記憶媒体を含む群から選択されることを特徴とする請求項９記載の電子機器。
【請求項１０】
前記操作部材が接触可能に構成され、前記操作部材の接触に基づき前記第２の蓋部材の状態を検出する検出手段を備えることを特徴とする請求項１記載の電子機器。
【請求項１１】
前記検出手段の検出結果に基づき前記第２の蓋部材により前記第１の蓋部材の前記開口部が閉塞状態か開放状態かを判定し、判定結果に基づき前記電子機器の消費電力を調整するモードの切り換えを行う制御手段を備えることを特徴とする請求項１０記載の電子機器。
【請求項１２】
前記電子機器は、撮像装置を含む群から選択されることを特徴とする請求項１乃至１１の何れかに記載の電子機器。
【発明の詳細な説明】
【技術分野】
【０００１】
本発明は、バッテリや記憶媒体等を筐体の内部に着脱するための開口部を開閉可能な蓋部を備えた電子機器に関する。
【背景技術】
【０００２】
従来、例えば図２６に示すように、筐体の内部に所定のユニットを収納する収納部を備えると共に、該収納部の上方の開口部を開閉可能な蓋部を備えた電子機器がある（例えば、特許文献１参照）。
【０００３】
図２６は、従来例に係る電子機器の蓋部の構成を示す斜視図である。
【０００４】
図２６において、電子機器は、筐体の収納部（空間部）に対し開閉可能な第１カバー１２２の上面部に、ゴムやシリコン等の可撓性の部材を使用した第２カバー１２３を取り付けることにより、第１カバー１２２の開口（不図示）を塞ぐ構造を有する。また、筐体の上端部に第１カバー１２２をヒンジ部を介して装着することにより、第１カバー１２２を開いた状態において第１カバー１２２を直立させて保持することが可能である。
【０００５】
図２７及び図２８は、従来例に係る電源ユニットを示す斜視図である。
【０００６】
図２７及び図２８において、電源ユニットは、電子機器に使用するバッテリパックと同じ外形形状を有するカプラ１２９から構成される。カプラ１２９は、電源ケーブル１３０を介して電源が供給され、電極部１２９ａ、受電部１２９ｂを備える。電極部１２９ａは、電子機器の基板の接片から電源を供給する部分である。電子機器に外部から電源を供給する場合、上記カプラ１２９を使用することで、他の機構部を設けることなく、通常のバッテリパック収納用と同じ収納部を電子機器に設けることにより電子機器の使用を可能にしている。このように、電子機器の外部から電源を供給する際に使用する外部電源中継部材または蓄電可能な外部電源中継部材を、以後、カプラと称する。
【特許文献１】特開２００５−１７４９１９号公報
【発明の開示】
【発明が解決しようとする課題】
【０００７】
しかしながら、上記従来例（特許文献１）の電子機器の場合、第１カバー１２２の開口を塞ぐ蓋部である第２カバー１２３としてゴムやシリコン等の可撓性の部材を使用せざるを得ないが、この種の部材は変色や変形しやすく、高級感に欠けるなどの問題を抱えていた。また、第２カバー１２３は第１カバー１２２の外側（上面側）に配置されるため、第２カバー１２３の位置を電子機器本体側で検出することが困難であった。
【０００８】
また、上記従来例（特許文献１）の電子機器の収納部の収納物に上記カプラ１２９を適用した場合、収納物着脱用の開口とは別の電源ケーブル接続用の開口と該開口を覆うカバーを設けなければならず、電子機器の小型化を図る面で障害となる。また、第２カバー１２３をバッテリやカプラ等の収納物に合わせて自動的に開閉することは困難であり、第２カバー１２３の位置を検出することも困難である。また、電子機器に搭載するＬＣＤ等の表示装置や無線ユニット等の消費電力が大きいものに対してバッテリパック等の電源を使用した場合、消費電力を自動的に抑制するモードに切り換えることが困難である。
【０００９】
本発明の目的は、外部から電源を供給する形態でも従来のように別個に受電部やカバー等を設けることが不要とし、小型化などを可能とした電子機器を提供することにある。
【課題を解決するための手段】
【００１０】
上述の目的を達成するために、本発明の電子機器は、開閉口を有する収納部を筐体内部に備える電子機器であって、前記収納部の前記開閉口に対して開閉可能に配設され、前記収納部に連通する開口部を有する第１の蓋部材と、前記第１の蓋部材に配設され、前記第１の蓋部材の面内で移動可能に構成された第２の蓋部材とを備え、前記第１の蓋部材の前記開口部は、外部から前記電子機器に電源を供給するための電源供給部材が接続可能に構成され、前記第２の蓋部材は、前記移動に伴い前記第１の蓋部材の前記開口部を閉塞状態或いは開放状態とすることを特徴とする。
【発明の効果】
【００１１】
本発明によれば、第１の蓋部材を収納部の開閉口に対し開閉可能とし、第２の蓋部材を第１の蓋部材の面内で移動可能とし、第２の蓋部材により第１の蓋部材の開口部を閉塞状態／開放状態とする。これにより、第１の蓋部材の開口部を介して外部から電源を供給する形態でも、従来のように別個に受電部やカバー等を設けることが不要となり、電子機器の小型化が可能となる。
【発明を実施するための最良の形態】
【００１２】
以下、本発明の実施の形態を図面を参照して説明する。
【００１３】
［第１の実施の形態］
図１は、本発明の第１の実施の形態に係る電子機器のカバーユニットの構成を示す分解斜視図である。図４は、第１カバーの構成を示す斜視図、図５は、第２カバーの構成を示す斜視図、図６は、第２カバーレバーの構成を示す斜視図である。図７は、ヒンジ板の構成を示す斜視図、図８は、ヒンジ固定板の構成を示す斜視図である。図９は、バッテリ収納部のヒンジ板の取り付け部を示す斜視図、図１０は、バッテリ収納部の構成を示す斜視図である。
【００１４】
図１乃至図１０において、電子機器は、第１カバー１、第２カバー２、第２カバーレバー３、ヒンジ板４、ヒンジ固定板５、ヒンジ軸６、ヒンジバネ７、バッテリ収納部９、バッテリパック１０、バッテリ排出バネ１１、バッテリ固定部材１２、バッテリ固定バネ１３、バッテリ固定部材軸１４を備えている。
【００１５】
電子機器のカバーユニットは、第１カバー１、第２カバー２、第２カバーレバー３、ヒンジ板４、ヒンジ固定板５から構成される。バッテリ収納部９は、電子機器の筐体内に設置されており、電子機器の電源であるバッテリパック１０を収納する。バッテリ収納部９は、バッテリパック１０やカプラ等の収納物の着脱（装着／取り外し）が可能な上面側開口部（開閉口）と底面側開口部を備えている。バッテリ収納部９には、バッテリパック１０の接片が実装された電源基板１５が固定されており、バッテリパック１０から電源基板１５を介して回路基板（不図示）へ電源を供給している。
【００１６】
バッテリ収納部９の上部には、バッテリ排出バネ１１が固定されており、バッテリ収納部９からバッテリパック１０を排出する際の排出動作を補助する。バッテリ収納部９の底面側開口部の近傍には、バッテリ固定部材１２がバッテリ固定部材軸１４により固定されており、バッテリ収納部９からバッテリパック１０を排出する際の排出動作を付勢する。バッテリ固定部材１２には、バッテリ固定バネ１３が付設されており、バッテリ固定部材１２をバッテリパック１０側へ付勢する。使用者がバッテリ固定部材１２を操作すると、バッテリ固定部材１２によるバッテリパック１０に対するロックが外れ、バッテリ収納部９からバッテリパック１０が押し出され排出される。
【００１７】
第１カバー１は、図４に示すように、開口部１ａ、爪部１ｂ、爪部１ｃ、ネジ穴部１ｄ、溝部１ｅ、爪部１ｆ、凸部１ｇを備えている。第１カバー１は、バッテリ収納部９の長手方向に対しスライド可能に構成されると共に（図２参照）、バッテリ収納部９の上面側開口部に対しヒンジ軸６を介して回動可能に構成されている。第１カバー１の開口部１ａは、電源ケーブル３０（図１５参照）の先端の接続部が係合可能な形状に形成されている。
【００１８】
ヒンジ固定板５は、第１カバー１の爪部１ｂと爪部１ｃに引っ掛けられると共にネジ８により第１カバー１のネジ穴部１ｄを介して締結されることで、第１カバー１に固定される。これにより、第１カバー１とヒンジ固定板５との間にはクリアランスが形成される。第１カバー１とヒンジ固定板５との間のクリアランスには、第２カバー２とヒンジ板４が挟み込まれる。
【００１９】
第２カバー２は、図５に示すように、開口部２ａ、クリックバネ形状部２ｂを備えている。第２カバー２は、第１カバー１の長手方向に対してスライド可能に構成されており、スライドに伴い第１カバー１の開口部１ａを閉塞状態（図３（ａ）参照）または開放状態（図３（ｂ）参照）とする。
【００２０】
第２カバーレバー３は、図６に示すように、凸部３ａ、突出部３ｂを備えている。第２カバーレバー３の凸部３ａは、第２カバー２の開口部２ａに係合される。第２カバーレバー３は、凸部３ａの下端部が第１カバー１の溝部１ｅに係合されることで、第１カバー１の長手方向に対して移動可能なスライド機構を構成する。
【００２１】
ヒンジ板４は、図７に示すように、開口部４ａ、クリックバネ形状部４ｂ、開口部４ｃを備えている。ヒンジ固定板５は、図８に示すように、溝部５ａ、端部５ｂ、開口部５ｃを備えている。ヒンジ板４の開口部４ｃ及びヒンジ固定板５の開口部５ｃは、第１カバー１の開口部１ａよりも大きい形状に形成されている。
【００２２】
第２カバーレバー３の突出部３ｂは、ヒンジ板４の開口部４ａを通されると共に、ヒンジ固定板５側に突出する状態に配置される。使用者が第２カバーレバー３の突出部３ｂを第１カバー１の長手方向にスライドさせると、第２カバー２が第２カバーレバー３の突出部３ｂの動作に同期（連動）して移動することにより、第１カバー１の開口部１ａが開閉される。
【００２３】
バッテリ収納部９は、図９及び図１０に示すように、ヒンジ軸穴部９ａ、爪部９ｂ、穴部９ｃを備えている。ヒンジ軸６は、ヒンジ板４の長手方向端部に固定されると共に、バッテリ収納部９のヒンジ軸穴部９ａに挿入され保持される。これにより、ヒンジ板４は、ヒンジ軸６を介してバッテリ収納部９の上面側開口部に対し回動可能に構成される。
【００２４】
第１カバー１の爪部１ｆ及びバッテリ収納部９の爪部９ｂは、例えば、互いに対向する側が開口した断面コ字状に形成されており、開口側同士が互いに噛み合うことで係合するように構成されている。ここで、第１カバー１は、バッテリ収納部９の長手方向に対してスライド可能に構成されており、バッテリ収納部９の爪部９ｂは、第１カバー１のスライド方向に開口されている。第１カバー１は、第１カバー１の爪部１ｆとバッテリ収納部９の爪部９ｂとが互いが係合することにより、バッテリ収納部９の開口部に対し閉じた状態で保持される。
【００２５】
第１カバー１のスライド（移動）に伴い、第１カバー１の爪部１ｆとバッテリ収納部９の爪部９ｂとの係合が解除される。第１カバー１のスライドによる第１カバー１の爪部１ｆとバッテリ収納部９の爪部９ｂとの係合の解除に伴い、カバーユニットは開き方向に回動する。
【００２６】
ヒンジ板４は、上述したように第１カバー１とヒンジ固定板５との締結により両者間に保持される。これにより、カバーユニットを構成する第１カバー１、第２カバー２、第２カバーレバー３、ヒンジ固定板５は、ヒンジ板４の回動に同期（連動）して回動する。ヒンジバネ７は、ヒンジ軸６に配設されており、ヒンジ板４をバッテリ収納部９に対し開き方向に付勢する。ヒンジバネ７は、バッテリ収納部９の穴部９ｃに引っ掛けられることで穴部９ｃに保持される。
【００２７】
ヒンジ固定板５には、図８に示すように、第１カバー１のスライド量分だけ離れた位置（図８の矢印で示す範囲）に上記の溝部５ａと端部５ｂが配設されている。これにより、第１カバー１のスライド時にクリック感触を持たせている。また、第１カバー１には、上記の凸部１ｇが配設され、第２カバー２には、上記のクリックバネ形状部２ｂが配設されている。これにより、第２カバー２のスライド時にクリック感触を持たせている。
【００２８】
次に、上記構成を有する本実施の形態の電子機器のカバーユニットの動作について図１乃至図１０及び図１５を参照しながら説明する。
【００２９】
図２（ａ）〜図２（ｅ）は、カバーユニットの動作を説明する斜視図である。図３（ａ）は、第１カバーの開口部の閉塞状態を示す斜視図、図３（ｂ）は、第１カバーの開口部の開放状態を示す斜視図である。図１５は、カプラの使用を説明する斜視図である。
【００３０】
図１乃至図１５において、第２カバー２により第１カバー１の開口部１ａを閉じた状態で電子機器を使用する時は、第１カバー１をスライドさせ回動させることにより、バッテリ収納部９の収納空間に対してバッテリパック１０を着脱（装着／取り外し）することが可能となる。他方、第２カバー２をスライドさせ第１カバー１の開口部１ａを開放状態とするためには、下記に示す操作が必要になる。
【００３１】
電子機器のバッテリ収納部９にバッテリパック１０を収納している場合は、電子機器本体に対し第１カバー１が閉じた状態となっている（図２（ａ））。初めに使用者は第１カバー１をバッテリ収納部９の長手方向にスライドさせることにより（図２（ｂ））、第１カバー１の爪部１ｆとバッテリ収納部９の爪部９ｂとの係合を解除する。これに伴い、第１カバー１が矢印方向に回動し、第１カバー１、第２カバー２、第２カバーレバー３、ヒンジ板４、ヒンジ固定板５等から構成されるカバーユニットが開く（図２（ｃ））。
【００３２】
次に、ヒンジ固定板５側から突出している第２カバーレバー３を矢印方向にスライドさせる（図２（ｄ））。第２カバー２は、第２カバーレバー３のスライド動作に連動し、図３（ａ）に示すように第１カバー１の開口部１ａを閉じていた位置（閉塞状態）から、図３（ｂ）に示すように第１カバー１の開口部１ａから離れた位置（開放状態）に移動する。この場合、上述したようにヒンジ板４とヒンジ固定板５には、第１カバー１の開口部１ａよりも大きい形状を有する開口部４ｃ、開口部５ｃがそれぞれ設けられている。
【００３３】
第２カバー２の移動に伴い、第１カバー１の開口部１ａは、ヒンジ板４の開口部４ｃ及びヒンジ固定板５の開口部５ｃを介して、第１カバー１、第２カバー２、第２カバーレバー３、ヒンジ板４、ヒンジ固定板５から構成されるカバーユニットを貫通した状態になる。この状態でカバーユニットを矢印方向に閉じることにより（図２（ｅ））、電子機器本体に対し第１カバー１が閉じた状態において、第１カバー１の開口部１ａとバッテリ収納部９とが連通状態となる。
【００３４】
これにより、図１５に示すように、バッテリ収納部９の底面側開口部を介して、バッテリ収納部９の収納物をバッテリパック１０からカプラ２９に入れ替え、第１カバー１の開口部１ａから電源ケーブル３０をカプラ２９に接続することができる。この結果、外部から電源を電子機器に供給可能な状態にすることができる。また、電子機器には上記構成とは別個に受電部やカバー等を設ける必要がないため、電子機器の小型化を実現することができる。
【００３５】
次に、本実施の形態の各種変形例について図１１乃至図１４を参照しながら説明する。
【００３６】
本実施の形態の電子機器のカバーユニットにおいて、第１カバー１に対して第２カバー２を移動可能に保持する構成としては、図１１に示す構成を用いてもよい。
【００３７】
図１１は、本実施の形態の第１の変形例に係る第２カバーの保持方法を説明する斜視図である。
【００３８】
図１１において、第１カバー２５は、第１カバーレール部２５ａを備えている。第１カバー２５により、第１カバーレール部２５ａを介して第２カバー２６を挟み込むように且つ第２カバー２６をスライド可能に保持する。これにより、上記ヒンジ固定板５を設けなくとも、第２カバー２６を第１カバー２５に保持することが可能となる。
【００３９】
また、本実施の形態の電子機器のカバーユニットにおいて、第２カバー２を第１カバー１の長手方向にスライド可能に構成したが、図１２に示す構成を用いてもよい。
【００４０】
図１２（ａ）は、本実施の形態の第２の変形例に係る第１カバーの開口部の閉塞状態を示す斜視図、図１２（ｂ）は、第１カバーの開口部の開放状態を示す斜視図である。図１３は、第１カバーの構成を示す斜視図、図１４は、第２カバーの構成を示す斜視図である。
【００４１】
図１２乃至図１４において、第１カバー２７は、図１３に示すように、第２カバー２８の軸２８ａを受ける溝部２７ａ、第２カバー２８の軸２８ｂを保持する孔部２７ｂ、電源ケーブル接続用の開口部２７ｃを備えている。第２カバー２８は、図１４に示すように、第２カバー２８を回転方向にガイドするための軸２８ａ、第２カバー２８を支持し回転させるための軸２８ｂ、第２カバー２８の回転中心である軸２８ｃを備えている。
【００４２】
図１２（ａ）は、第１カバー２７の開口部２７ｃを第２カバー２８により閉塞した状態を示している。図１２（ｂ）は、第２カバー２８を軸２８ｃを中心に回転させることで、第１カバー２７の開口部２７ｃを開放した状態を示している。
【００４３】
以上説明したように、本実施の形態によれば、第１カバー１をバッテリ収納部９の上面側開口部に対しスライド及び回動可能に配設し、第２カバー２を第１カバー１の上面部に配設し、第２カバー２により第１カバー１の開口部１ａを閉塞状態／開放状態とする。これにより、バッテリ収納部９の収納物をバッテリパックからカプラに入れ替え、第１カバー１の開口部１ａに電源ケーブルを接続して外部から電源を供給する形態でも、従来のように別個に受電部やカバー等を設けることが不要となり、電子機器の小型化が可能となる。
【００４４】
また、上記構造により、第２カバー２を従来のようにゴムやシリコン等の可撓性材料で形成せざるを得ないという制約がなくなり、モールドや金属等の材料で形成可能となるため、可撓性材料の変色や変形或いは高級感に欠けるといった問題を解消することが可能となる。
【００４５】
［第２の実施の形態］
本発明の第２の実施の形態は、上述した第１の実施の形態に対して、下記に示す点において相違する。本実施の形態における上述した第１の実施の形態（図１）の対応するものと同一の要素には同一符号を付し、説明を省略する。本実施の形態では相違点のみを説明するものとする。
【００４６】
図１６は、本実施の形態に係る電子機器のカバーユニットの構成を示す斜視図である。図１７は、第２カバーの構成を示す斜視図、図１８は、第２カバーレバーの構成を示す斜視図、図１９は、バッテリパックの構成を示す斜視図、図２１（ａ）〜図２１（ｅ）は、カバーユニットの動作を説明する斜視図である。
【００４７】
図１６乃至図２１において、電子機器は、第１カバー１、ヒンジ板４、ヒンジ固定板５、ヒンジ軸６、ヒンジバネ７、バッテリ収納部９、バッテリ排出バネ１１、バッテリ固定部材１２、バッテリ固定バネ１３、バッテリ固定部材軸１４、第２カバー１６、第２カバーレバー１７、バッテリパック１８を備えている。
【００４８】
電子機器のカバーユニットは、第１カバー１、第２カバー１６、ヒンジ板４、ヒンジ固定板５、第２カバーレバー１７から構成される。第２カバー１６は、図１７に示すように開口部１６ａを備えている。第２カバーレバー１７は、図１８に示すように穴部１７ａを備えている。バッテリパック１８は、バッテリ収納部９に収納されるものであり、図１９に示すように、第２カバーレバー１７の穴部１７ａに係合可能な凸部１８ａを備えている。
【００４９】
電子機器本体に対し第１カバー１が閉じた状態において（図２１（ａ））、第１カバー１をバッテリ収納部９の長手方向にスライドさせ（図２１（ｂ））、カバーユニットを開き （図２１（ｃ））、バッテリ収納部９にバッテリパック１８を挿入後、カバーユニットを閉じる（図２１（ｄ））。図２１（ｄ）の状態で、第２カバーレバー１７の穴部１７ａにバッテリパック１８の凸部１８ａが係合する。
【００５０】
次に、カバーユニットをバッテリ収納部９の長手方向にスライドさせ、電子機器本体にロックする。第２カバー１６及び第２カバーレバー１７はバッテリパック１８に固定されるので、第２カバー１６は第１カバー１の動きには追従せず、第２カバー１６の開口部１６ａが第１カバー１の開口部１ａに対応する状態に位置する。これに伴い、カバーユニットを閉じた状態においても（図２１（ｅ））、第１カバー１の開口部１ａとバッテリ収納部９とが連通状態となる。
【００５１】
これにより、上述した第１の実施の形態と同様に、バッテリ収納部９の収納物をバッテリパック１８からカプラに入れ替え、電源ケーブルを第１カバー１の開口部１ａを介してカプラに接続することができ、外部から電源を電子機器に供給可能な状態にすることができる。また、電子機器には上記構成とは別個に受電部やカバー等を設ける必要がないため、電子機器の小型化を実現することができる。
【００５２】
ここで、例えば、第２カバーレバー１７の穴部１７ａに係合する凸部を備えていないバッテリパック１０（図１参照）がバッテリ収納部９に挿入された場合は、以下のようになる。カバーユニットを開きバッテリパック１０をバッテリ収納部９に挿入し、カバーユニットをスライドさせ電子機器本体にロックしたとしても、第２カバーレバー１７はバッテリパック１０に係合しないため、第２カバー１６は第１カバー１の動きに追従する。第２カバー１６は第１カバー１との位置関係が変わらないため、第１カバー１の開口部１ａはバッテリ収納部９に対して閉じたままとなる。
【００５３】
尚、本実施の形態では、第２カバーレバー１７とバッテリパック１８の係合構造として、第２カバーレバー１７に穴部１７ａを配設し且つバッテリパック１８に凸部１８ａを配設する構造としているが、これに限定されるものではない。第２カバーレバー１７に凸部を配設し且つバッテリパック１８に穴部を配設する構造としてもよい。また、第２カバーレバー１７とバッテリパック１８が係合可能であれば、穴部の形状は丸形形状・角形形状等の何れの形状でもよく、凸部の形状は丸形形状・角形形状・山形形状等の何れの形状でもよい。
【００５４】
また、本実施の形態では、第２カバー１６及び第２カバーレバー１７を、第１カバー１に対してヒンジ軸６に寄った側に配置する構造としているが、これに限定されるものではない。第２カバー１６及び第２カバーレバー１７を、第１カバー１に対してヒンジ軸６とは反対側に寄った側に配置する構成、即ち、第１カバー１の開口部１ａよりスライド方向において逆に配置する構成としてもよい。第２カバー１６は、第１カバー１の動きに追従しない場合のスライド時には、第１カバー１の開口部１ａから遠ざかる方向へ移動する。この場合は、第２カバー１６の開口部１６ａは不要となる。
【００５５】
次に、本実施の形態の変形例について図２０を参照しながら説明する。
【００５６】
図２０は、本実施の形態の変形例に係る第２カバーの構成を示す斜視図である。
【００５７】
図２０において、第２カバー２４は、開口部２４ａ、係合部２４ｂを備えている。第２カバー２４に、第２カバーレバー１７の機能を代用可能な係合部２４ｂを設けることにより、第２カバーレバー１７を設けなくても同様の効果を得ることが可能となる。
【００５８】
以上説明したように、本実施の形態によれば、第２カバーレバー１７とバッテリパック１８とを、それぞれの穴部１７ａ及び凸部１８ａを介して係合する構造としているため、バッテリ収納部９に対しバッテリパック１８を逆に収納する操作を防止することが可能となる。
【００５９】
また、上記第１の実施の形態と同様に、バッテリ収納部９内のバッテリパックをカプラに入れ替え、第１カバー１の開口部１ａを介して外部から電源を供給する形態でも、従来のように別個に受電部やカバー等を設けることが不要となり、電子機器の小型化が可能となる。
【００６０】
［第３の実施の形態］
本発明の第３の実施の形態は、上述した第１の実施の形態に対して、下記に示す点において相違する。本実施の形態における上述した第１の実施の形態（図１）の対応するものと同一の要素には同一符号を付し、説明を省略する。本実施の形態では相違点のみを説明するものとする。
【００６１】
図２２は、本実施の形態に係る電子機器のカバーユニットの構成を示す斜視図である。図２３は、第２カバーが閉じている時のスイッチの状態を示す図、図２４は、第２カバーが開いている時のスイッチの状態を示す図である。
【００６２】
図２２乃至図２４において、電子機器は、第１カバー１、第２カバー２、第２カバーレバー３、バッテリ収納部１９、スイッチ２０を備えている。
【００６３】
電子機器のカバーユニットは、第１カバー１、第２カバー２、第２カバーレバー３等から構成される。スイッチ２０は、バッテリ収納部１９におけるバッテリパック１０の収納位置の近傍で且つ第２カバーレバー３の接触が可能な（図２４参照）位置に配設されている。スイッチ２０は、第２カバーレバー３の接触の有無を検出することで、第２カバー２の開閉状態を検出する。スイッチ２０の検出信号は、電子機器の制御を司る制御部（不図示）に供給される。制御部は、スイッチ２０の検出信号に基づき第２カバー２の開閉状態を判定する。
【００６４】
第２カバー２を閉じた状態では、第１カバー１の開閉に関わらず、第２カバーレバー３は常に図２３に示す位置に保持されている。第２カバー２を開く場合は、上述した第１の実施の形態と同様に第２カバーレバー３を操作することで第２カバー２を開く。第２カバー２を開いた状態では、第１カバー１を閉じた状態において、第２カバーレバー３は図２４に示す位置に移動している。
【００６５】
上記構成により、第２カバー２が開いた状態では、第２カバーレバー３がスイッチ２０に接触することで、第２カバーレバー３によりスイッチ２０の接点が押下される。これにより、電子機器の制御部は、第２カバー２の位置及び第１カバー１の開口部１ａが開かれているかを検出することが可能となる。
【００６６】
次に、本実施の形態の電子機器の動作について図２５を参照しながら説明する。
【００６７】
図２５は、電子機器の動作を示すフローチャートである。
【００６８】
図２５において、電子機器の制御部は、初めに使用者がバッテリ収納部１９を覆うカバーユニットを開き（ステップＳ１）、第２カバーレバー３を操作 （ステップＳ２）せずに、バッテリパックをバッテリ収納部１９に挿入したことを検出した場合は（ステップＳ３）（図２３）、次の処理を行う。即ち、制御部は、使用者がカバーユニットを閉じたことを検出すると（ステップＳ４）、電子機器に電源を供給し電子機器をスリープモードで起動する（ステップＳ５）。
【００６９】
次に、制御部は、スイッチ２０により第２カバー２の開閉状態を検出し（ステップＳ６）、第２カバー２が閉じている状態で使用者が電子機器の電源を投入したことを検出すると（ステップＳ７）、電子機器をスタンダードモードで起動する（ステップＳ８）。制御部は、使用者がそのまま電子機器を使用し、電子機器の電源を切断したことを検出すると（ステップＳ１２）、本処理を終了する（ステップＳ１３）。
【００７０】
制御部は、上記第２カバー２の開閉において（ステップＳ２）、使用者が第２カバーレバー３を操作することで第２カバー２を開いたことを検出した場合は（図２４）、次の処理を行う。制御部は、スイッチ２０により第２カバー２の開閉状態を検出し（ステップＳ６）、使用者が電子機器の電源を投入したことを検出すると（ステップＳ９）、電子機器をパワーモードで起動する（ステップＳ１０）。
【００７１】
即ち、使用者が第２カバー２を開けバッテリ収納部１９にカプラを挿入し、外部から電源ケーブルにより電源を供給している場合は、電子機器をパワーモードで起動し、ＬＣＤ等の表示部の消費電力が大きいバックライトの電圧をスタンダードモードよりも上げ視認性を高める（ステップＳ１１）。また、電子機器に無線ユニットが装着されている場合は、電子機器をパワーモードで起動し、スタンダードモードよりも安定して遠くに電波を飛ばせるように電圧をスタンダードモードよりも上げる（ステップＳ１１）。そして、使用者が電子機器の使用後に電源を切断すると（ステップＳ１２）、本処理を終了する（ステップＳ１３）。
【００７２】
例えば、電子機器がデジタルカメラ等の場合、通常は消費電力を抑制したいが、カプラの使用など外部からの電源供給可能な形態で消費電力を上げても問題がない場合は、ＬＣＤ（バックライトなど）の輝度を上げることで、視認性向上が可能となるのである。また、電子機器が無線機能を有する場合は、無線電波のパワーを上げ、確実に遠くに情報を転送可能なモードに切り換えることが可能となるのである。
【００７３】
尚、本実施の形態では、スリープモードとは電子機器の電力消費量を抑制するモードであり、スタンダードモードとは電子機器の電力消費量を標準に維持するモードであり、パワーモードとは電子機器の電力消費量を上げるモードである。
【００７４】
以上説明したように、本実施の形態によれば、スイッチ２０の検出結果に基づき第２カバー２の開閉状態を検出し、電子機器の電力消費量を調整するモードの切り換えを行うため、電子機器に対し使用電力に見合った動作を行わせることが可能となる。
【００７５】
また、上記第１の実施の形態と同様に、バッテリ収納部１９内のバッテリパックをカプラに入れ替え、第１カバー１の開口部１ａを介して外部から電源を供給する形態でも、従来のように別個に受電部やカバー等を設けることが不要となり、電子機器の小型化が可能となる。
【００７６】
［他の実施の形態］
上記第１乃至第３の実施の形態では、電子機器の内部にバッテリパックやカプラ等の電源ユニットを収納する場合を例に挙げたが、本発明は、これに限定されるものではなく、電子機器の内部に記憶媒体を収納する場合にも適用することが可能である。
【００７７】
上記第１乃至第３の実施の形態では、電子機器の具体的な種類については言及しなかったが、本発明は、デジタルカメラを含む各種の電子機器に適用することが可能である。
【図面の簡単な説明】
【００７８】
【図１】本発明の第１の実施の形態に係る電子機器のカバーユニットの構成を示す分解斜視図である。
【図２】（ａ）〜（ｅ）は、図１のカバーユニットの動作を説明する斜視図である。
【図３】（ａ）は、図１の第１カバーの開口部の閉塞状態を示す斜視図、（ｂ）は、第１カバーの開口部の開放状態を示す斜視図である。
【図４】図１の第１カバーの構成を示す斜視図である。
【図５】図１の第２カバーの構成を示す斜視図である。
【図６】図１の第２カバーレバーの構成を示す斜視図である。
【図７】図１のヒンジ板の構成を示す斜視図である。
【図８】図１のヒンジ固定板の構成を示す斜視図である。
【図９】図１のバッテリ収納部のヒンジ板の取り付け部を示す斜視図である。
【図１０】図１のバッテリ収納部の構成を示す斜視図である。
【図１１】第１の変形例に係る第２カバーの保持方法を説明する斜視図である。
【図１２】（ａ）は、第２の変形例に係る第１カバーの開口部の閉塞状態を示す斜視図、（ｂ）は、第１カバーの開口部の開放状態を示す斜視図である。
【図１３】図１２の第１カバーの構成を示す斜視図である。
【図１４】図１２の第２カバーの構成を示す斜視図である。
【図１５】カプラの使用を説明する斜視図である。
【図１６】本発明の第２の実施の形態に係る電子機器のカバーユニットの構成を示す斜視図である。
【図１７】図１６の第２カバーの構成を示す斜視図である。
【図１８】図１６の第２カバーレバーの構成を示す斜視図である。
【図１９】図１６のバッテリパックの構成を示す斜視図である。
【図２０】変形例に係る第２カバーの構成を示す斜視図である。
【図２１】（ａ）〜（ｅ）は、図１６のカバーユニットの動作を説明する斜視図である。
【図２２】本発明の第３の実施の形態に係る電子機器のカバーユニットの構成を示す斜視図である。
【図２３】第２カバーが閉じている時のスイッチの状態を示す図である。
【図２４】第２カバーが開いている時のスイッチの状態を示す図である。
【図２５】電子機器の動作を示すフローチャートである。
【図２６】従来例に係る電子機器の蓋部の構成を示す斜視図である。
【図２７】従来例に係る電源ユニットを示す斜視図である。
【図２８】従来例に係る電源ユニットを示す斜視図である。
【符号の説明】
【００７９】
１  第１カバー（第１の蓋部材）
１ａ  開口部（第１の蓋部材の開口部）
２  第２カバー（第２の蓋部材）
２ｂ  クリックバネ形状部（弾性係合部）
３  第２カバーレバー（操作部材）
４  ヒンジ板（回動部材、第２の回動部材）
４ｂ  クリックバネ形状部（弾性係合部）
５  ヒンジ固定板（回動部材、第１の回動部材）
６  ヒンジ軸（軸）
９  バッテリ収納部（収納部）
１０  バッテリパック（収納物）
１６  第２カバー（第２の蓋部材）
１７  第２カバーレバー（操作部材）
１７ａ  穴部（係合部）
１８  バッテリパック（収納物）
１８ａ  凸部（係合部）
１９  バッテリ収納部（収納部）
２０  スイッチ（検出手段）
２５  第１カバー（第１の蓋部材）
２６  第２カバー（第２の蓋部材）
２７  第１カバー（第１の蓋部材）
２８  第２カバー（第２の蓋部材）
２９  カプラ（収納物、外部電源中継部材）
３０  電源ケーブル（電源供給部材）
【図１】
2007066196.tif 000003
【図２】
2007066196.tif 000004
【図３】
2007066196.tif 000005
【図４】
2007066196.tif 000006
【図５】
2007066196.tif 000007
【図６】
2007066196.tif 000008
【図７】
2007066196.tif 000009
【図８】
2007066196.tif 000010
【図９】
2007066196.tif 000011
【図１０】
2007066196.tif 000012
【図１１】
2007066196.tif 000013
【図１２】
2007066196.tif 000014
【図１３】
2007066196.tif 000015
【図１４】
2007066196.tif 000016
【図１５】
2007066196.tif 000017
【図１６】
2007066196.tif 000018
【図１７】
2007066196.tif 000019
【図１８】
2007066196.tif 000020
【図１９】
2007066196.tif 000021
【図２０】
2007066196.tif 000022
【図２１】
2007066196.tif 000023
【図２２】
2007066196.tif 000024
【図２３】
2007066196.tif 000025
【図２４】
2007066196.tif 000026
【図２５】
2007066196.tif 000027
【図２６】
2007066196.tif 000028
【図２７】
2007066196.tif 000029
【図２８】
2007066196.tif 000030